(57)【特許請求の範囲】
【請求項１】
巻尺のケースに取り付けられ、作業者のベルトに係着するためのベルトクリップにおいて、ベルトクリップが、ケースに固定するベース体と、このベース体に支持され少なくともケースとの間に前記ベルトが入る空間を形成するクリップ形態と外部のフック部材に係着する係着具形態に変化できる可動クリップ体からなり、前記可動クリップ体は、少なくとも初期位置のクリップ形態にしているときにはベルトクリップに有するロック手段により同クリップ形態にロックでき、かつロックを解除することによって係着具形態に変化させることができるように構成してなる巻尺のベルトクリップであって、
前記ロック手段がベース体に設けた可動係合体からなり、この可動係合体を操作することによって可動クリップ体のロック、アンロックをできるように構成してなる巻尺のベルトクリップ。
【請求項２】
前記可動係合体が、可動クリップ体を係着具形態に変化させることができる初期位置にあるときケース面とほぼ平行に回動させることによって可動クリップ体に係合できてこの可動クリップ体をクリップ形態にロックでき、また、可動係合体を初期位置に戻すことにより可動クリップ体とのロックを解除できるように構成してなる請求項１に記載の巻尺のベルトクリップ。
【請求項３】
前記可動係合体が、可動クリップ体を係着具形態に変化させることができる初期位置にあるときケース面とほぼ平行に直線移動させることによって可動クリップ体に係合できてこの可動クリップ体をクリップ形態にロックでき、また、可動係合体を初期位置に戻すことにより可動クリップ体とのロックを解除できるように構成してなる請求項１に記載の巻尺のベルトクリップ。
【請求項４】
前記可動クリップ体が、平面視において略Ｕ字状に形成した線状体からなり、かつ線状体の両遊端部における直交方向にはベース体に支持される回転軸がケース面とほぼ平行に接続され、この回転軸を中心に線状体をケース面の垂直方向に回動できるように構成してなる請求項１に記載の巻尺のベルトクリップ。
【請求項５】
前記ベース体と可動クリップ体のうち少なくとも可動クリップ体は弾性を有していて、この弾性により可動クリップ体の先端とケース面との間が外力によって離間可能であり、かつ弾性復元力によって初期位置に復帰できるように構成してなる請求項１に記載の巻尺のベルトクリップ。
【発明の詳細な説明】
【技術分野】
【０００１】
本発明は、巻尺を作業者のベルトに係着する際に用いる巻尺のベルトクリップに関し、より詳しくは、ベルトクリップを外部のフックに掛け易い形状に変化させることができる巻尺のベルトクリップに関する。
【背景技術】
【０００２】
従来、巻尺のベルトクリップは、図１０に示すように、ヘアピン状に折曲形成したプレート体１２のプレート間に作業者が装着するベルト１３を挿嵌できるようになっていて、例えば、測定作業中に巻尺を一時保持する時や移動のため携帯する際にはプレート体１２をベルト１３に係着できる（例えば、特許文献１参照）。
【０００３】
しかし、最近では作業者が装着するベルトに係着できるように構成された工具が格段に増えたため、ベルトもこれに対応すべく多くの工具を携帯できるよう同ベルトに茄子環やＤフック等の吊り下げ具を多数並設して、ベルトに多くの工具を掛けて携帯できるようにしている。
【０００４】
このため、巻尺をベルトクリップによって係着するスペースがベルトになくなり、止むを得ず、巻尺に有する手首に掛けて用いる手下げ用ストラップ（例えば、特許文献２参照）を同ベルトの茄子環やＤフックに掛けて携帯する場合がある。
【０００５】
しかしながら、手下げ用ストラップを茄子環やＤフックに掛けて巻尺を携帯した場合、巻尺が作業者の太もも付近まで垂れ下がってしまうため、歩行の際や腰を落とした低い姿勢で行う作業の際に同巻尺が非常に邪魔になっていて、これにより、作業に集中できない恐れや、２次災害が生じる恐れがあるという問題があった。
【先行技術文献】
【特許文献】
【０００６】
【特許文献１】登録実用新案第３１３８２８６号公報（第１〜５頁、図１〜３）
【特許文献２】特開２００１−１７４２０１号公報（第１〜４頁、図５）
【発明の概要】
【発明が解決しようとする課題】
【０００７】
本発明の目的とするところは、巻尺のベルトクリップに、ベルトクリップ本来の機能と、安全に外部のフック部材に係着できるフック係着機能を持たせて、ベルトクリップによる携帯が難しい作業者のベルトに巻尺を係着する場合に、このベルトに設けた茄子環やＤフックに巻尺をコンパクトに掛けることができる巻尺のベルトクリップを提供できるようにすることにある。
【課題を解決するための手段】
【０００８】
上述した課題を解決するために、本発明に係る巻尺のベルトクリップは、巻尺のケースに取り付けられ、作業者のベルトに係着するためのベルトクリップにおいて、ベルトクリップが、ケースに固定するベース体と、このベース体に支持され少なくともケースとの間に前記ベルトが入る空間を形成するクリップ形態と外部のフック部材に係着する係着具形態に変化できる可動クリップ体からなり、前記可動クリップ体は、少なくとも初期位置のクリップ形態にしているときにはベルトクリップに有するロック手段により同クリップ形態にロックでき、かつロックを解除することによって係着具形態に変化させることができるように構成したものとしてある。
【０００９】
また、前記ロック手段がベース体に設けた可動係合体からなり、この可動係合体を操作することによって可動クリップ体のロック、アンロックをできるように構成したものとしてある。
【００１０】
また、前記可動係合体が、可動クリップ体を係着具形態に変化させることができる初期位置にあるときケース面とほぼ平行に回動させることによって可動クリップ体に係合できてこの可動クリップ体をクリップ形態にロックでき、また、可動係合体を初期位置に戻すことにより可動クリップ体とのロックを解除できるように構成したものとしてある。
【００１１】
また、前記可動係合体が、可動クリップ体を係着具形態に変化させることができる初期位置にあるときケース面とほぼ平行に直線移動させることによって可動クリップ体に係合できてこの可動クリップ体をクリップ形態にロックでき、また、可動係合体を初期位置に戻すことにより可動クリップ体とのロックを解除できるように構成したものとしてある。
【００１２】
また、前記可動クリップ体が、平面視において略Ｕ字状に形成した線状体からなり、かつ線状体の両遊端部における直交方向にはベース体に支持される回転軸がケース面とほぼ平行に接続され、この回転軸を中心に線状体をケース面の垂直方向に回動できるように構成したものとしてある。
【００１３】
また、前記ベース体と可動クリップ体のうち少なくとも可動クリップ体は弾性を有していて、この弾性により可動クリップ体の先端とケース面との間が外力によって離間可能であり、かつ弾性復元力によって初期位置に復帰できるように構成したものとしてある。
【発明の効果】
【００１４】
本発明の巻尺のベルトクリップによれば、同ベルトクリップの可動クリップ体を、巻尺の携帯者たる作業者のベルトに係着するためのクリップ形態と、外部のフック部材に係着できる係着具形態に、必要に応じて簡単に変化させることができる。
【００１５】
これにより、ベルトクリップによる係着が難しい茄子環やＤフックを設けた作業者のベルトに巻尺を係着する場合は、クリップ形態にしているベルトクリップの可動クリップ体を係着具形態に変化させることにより同可動クリップ体がベルトの茄子環やＤフックに掛けるに適した形状になり、この係着具形態に変化した可動クリップ体をベルトの茄子環やＤフックに掛けることによって巻尺をベルトクリップによる係着ができない作業者のベルトに携帯することができ、かつしっかりと携帯できるので、この携帯する巻尺が落下する恐れもゼロに等しく安全に携帯できる。
【００１６】
また、ベルトの茄子環やＤフックに掛けた巻尺は必要以上に垂れ下がらないのでコンパクトに吊り下げておくことができ、したがって歩行の際や腰を落とした低い姿勢で行う作業の際にも同巻尺が大きく揺動したり床面上を引きずることもまずなく、作業に集中することができる。
【００１７】
そして、ベルトクリップにおける可動クリップ体を安価で成形し易い弾性を有する金属の線状体で形成すれば、ベルトクリップの製造に掛かる材料費や成形費を抑制できて、形状が変化しない一般的なベルトクリップの製造費と比しても極僅かな上昇に留められるので、巻尺の市販価格を改定することもなく、従来と同じ価格でより便利で安全な巻尺を提供することができる。
【図面の簡単な説明】
【００１８】
【図１】本発明に係るベルトクリップを設けた巻尺を示す斜視図。
【図２】ベルトクリップの可動クリップ体を変化させた状態を示す斜視図。
【図３】図１における可動クリップ体の変化過程を示した図。
【図４】本発明に係るベルトクリップの一例を示す図。
【図５】図４における可動クリップ体を変化させた状態を示す図。
【図６】本発明に係るベルトクリップの一例を示す図。
【図７】図６における可動クリップ体を変化させた状態を示す図。
【図８】ベルトクリップの使用状態を示す図。
【図９】ベルトクリップの使用状態を示す図。
【図１０】従来のベルトクリップを設けている巻尺を示す斜視図。
【発明を実施するための形態】
【００１９】
以下、本発明に係るベルトクリップを、添付図面に示す具体例に基づいて詳細に説明する。
【００２０】
本発明のベルトクリップは、図１に示すように、巻尺のケース１に固定されるベース体２と、ベース体２に対して回動できるように設けた可動クリップ体３からなっていて、またベース体２には、初期位置のクリップ形態にしている可動クリップ体３を同クリップ形態にロックできる可動係合体たるロック用アーム４を設けている。
【００２１】
ベース体２は、例えば金属加工品や樹脂成型品等からなっていて、ケース１上に同ケース１を固定するための雄ねじ５によって固定している。
【００２２】
また、ベース体２に設けているロック用アーム４は、このロック用アーム４に接続する回転軸４ａによりこの回転軸４ａを中心にケース１面とほぼ平行に回動（もしくは回転）できるようにしている。
【００２３】
前記可動クリップ体３は、例えば金属や樹脂等の線状体（弾性を有する場合もある）からなっていて、図１に示した初期位置にあってクリップ形態にしているときは、可動クリップ体３の両方のアーム部３ａ上に、ベース体２に設けたロック用アーム４の一部を進出させてアーム部３ａとロック用アーム４とが係合状態になるようにしている。
【００２４】
そして、前記ロック用アーム４を所定の方向に回して同ロック用アーム４の一部を可動クリップ体３の両方のアーム部３ａ上より外すことで、アーム部３ａとロック用アーム４との係合を解除できるようにしている。
【００２５】
また、可動クリップ体３は、回転軸７、７がベース体２の軸受６、６に支持されていて、この回転軸７、７を中心にアーム部３ａをケース１面の垂直方向に回すことにより、図２に示すように、可動クリップ体３を図１のクリップ形態の状態からほぼ１８０度回動した係着具形態に変化できるようにしている。
【００２６】
そして、可動クリップ体３は、クリップ形態にしているとき、可動クリップ体３とケース１面との間に巻尺の携帯者たる作業者のベルト８（図８を参照）を入れることのできる空間たるベルト挿通部９（図８を参照）を形成できるようにしている。
【００２７】
さらに、可動クリップ体３は、作業者のベルト８（図８を参照）を同可動クリップ体３の先端１０側より挿通部９（図８を参照）に入れることができるよう素材の性質による弾性によって可動クリップ体３の先端１０とケース１面との間が外力によって離間できて、また弾性復元力によって初期位置に復帰できるようにしている。
【００２８】
以下、上述のように構成した本発明に係る巻尺のベルトクリップの作用について説明する。
【００２９】
図３にて、可動クリップ体３が初期位置にあって図１に示したクリップ形態になっている状態から、図２に示した外部のフック部材に係着できる係着具形態に変化させる場合を説明する。
【００３０】
先ず、図３中の（ａ）に示すように、可動クリップ体３の両方のアーム部３ａ上に進出してこのアーム部３ａと係合状態にあるベース体２のロック用アーム４を、図中の矢印Ａ方向（もしくは反対の方向）に回してアーム部３ａと略並行にする。
【００３１】
そうすると、可動クリップ体３の両方のアーム部３ａ上に位置しているベース体２のロック用アーム４の一部がこのアーム部３ａ上より外れて、同可動クリップ体３のアーム部３ａとベース体２のロック用アーム４との係合が解除される。
【００３２】
次いで、図３中の（ｂ）に示すように、ベース体２のロック用アーム４との係合を解除した可動クリップ体３のアーム部３ａを図中の矢印Ｂ方向に引き起こし、図３中の（ａ）のクリップ形態になっている状態からほぼ１８０度回動させる。
【００３３】
そうすると、図３中の（ｃ）に示すように、ベルトクリップの可動クリップ体３を外部のフック部材への係着に適する係着具形態に変化できて、図９に示すように、この変化した可動クリップ体３を作業者のベルト８のフック部材１１に係着すれば、巻尺を安全にかつ邪魔なく携帯することができる。
【００３４】
また、可動クリップ体３をクリップ形態にロックするための前記ロック用アームは、図４に示したロック用アーム４´のように、可動クリップ体３の片方のアーム部３ａに係合できる形態にする場合がある。
【００３５】
そして、可動クリップ体３の片方のアーム部３ａ上に進出してこのアーム部３ａと係合状態にあるベース体２のロック用アーム４´を、図中の矢印Ｃ方向（もしくは反対の方向）に回してアーム部３ａと略並行にすることで、同アーム部３ａ上に位置するロック用アーム４´の一部がこのアーム部３ａ上より外れてアーム部３ａとロック用アーム４´との係合を解除できて、図５に示すように、ベルトクリップの可動クリップ体３を外部のフック部材への係着に適する係着具形態に変化させることができる。
【００３６】
また、初期位置のクリップ形態にしている可動クリップ体３を同クリップ形態にロックするための可動係合体を、図６に示すように、可動クリップ体を係着具形態に変化させることができる初期位置にある可動係合体たるロック用スライダ４ｃを、図中の矢印Ｄ方向に移動してロック用スライダ４ｃの先端寄りを可動クリップ体３の片方のアーム部３ａ上に進出させて（図６図の状態）アーム部３ａとロック用アーム４とを係合状態にして、可動クリップ体３をクリップ形態にロックできるようにする場合がある。
【００３７】
そして、可動クリップ体３の片方のアーム部３ａ上に進出してこのアーム部３ａと係合状態にあるベース体２のロック用スライダ４ｃを、図中の矢印Ｅ方向たる初期位置方向に移動することで、同アーム部３ａ上に位置するロック用スライダ４ｃの先端寄りがこのアーム部３ａ上より外れてアーム部３ａとロック用スライダ４ｃとの係合を解除できて、図７に示すように、ベルトクリップの可動クリップ体３を外部のフック部材への係着に適する係着具形態に変化させることができる。
【００３８】
また、実施例中の図には示していないが、図１に示したクリップ形態にしている状態からほぼ１８０度回動して図２に示した外部のフック部材に係着できる係着具形態に変化した可動クリップ体３と係合できるようにした第２の可動係合体をベルトクリップに設けて、可動クリップ体３が係着具形態を維持できるようにする場合がある。
【００３９】
また、可動クリップ体３は、本実施例に示すような平面形状が略Ｕ字状のものの他にも、平面視において略Ｖ字状のものや、図１０に示した従来のベルトクリップにおけるプレート体１２と同じように、薄いプレート状にする場合がある。
【００４０】
また、可動クリップ体３の少なくとも回転軸７、７の遊端部をカバーして、作業者の衣服等が引っ掛からないようにする場合がある。
【００４１】
また、ベース体２は基本的には不可動であるが、作業者のベルト８（図８を参照）を可動クリップ体３の先端１０側より挿通部９（図８を参照）に入れる場合など、ベース体２における例えば可動クリップ体３の回転軸７、７を支持するための軸受６、６もしくはこの近傍部分を可動クリップ体３と協動させる場合がある。
【００４２】
また、ロック用アーム４、ロック用スライダ４ｃを操作して可動クリップ体３のアーム部３ａとの係合を解除した後、ロック用アーム４、ロック用スライダ４ｃを操作前の位置に自動復帰できるようにする場合がある。
【００４３】
また、図１中に示している符号２ａは、可動クリップ体３のアーム部３ａを支えるための受け部であるが、同受け部２ａは、可動クリップ体３の形状やアーム部３ａの強度などにより必要に応じてベルトクリップに設けている。
【００４４】
また、実施例中の図には示していないが、可動クリップ体を係着具形態に変化させることができる初期位置にあるベース体２の可動係合体を操作することで、初期位置のクリップ形態にしている可動クリップ体３のアーム部３ａを、少なくともアーム部３ａの弾性復元力に抗して例えばベース体２に設けた凹所内に押し込んでこの凹所とアーム部３ａとを係合状態にして、可動クリップ体３をクリップ形態にロックできるようにし、また、可動係合体を初期位置に移動することで、アーム部３ａが弾性復元力によって凹所内より出てアーム部３ａの係合を解除できるようにする場合がある。
【００４５】
また、実施例中の図には示していないが、巻尺の形態などによっては、ロック用アーム４、４´（図１、図４を参照）を、ベース体２をケース１上に固定する雄ねじ５を用いてベース体２上に取り付ける場合がある。
【００４６】
実施例における図中の符号４ｂ、４ｂ´は、ロック用アーム４をベース体２に取り付けている雄ねじ、符号４ｄは、ロック用スライダ４ｃをスライド操作するためのノブ、符号４ｅは、ロック用スライダ４ｃのスライド方向を案内するためのガイドである。
【符号の説明】
【００４７】
１  ケース
２  ベース体
２ａ  受け部
３  可動クリップ体
３ａ  アーム部
４  ロック用アーム
４´  ロック用アーム
４ａ  回転軸
４ａ´  回転軸
４ｂ  雄ねじ
４ｂ´  雄ねじ
４ｃ  ロック用スライダ
４ｄ  ノブ
４ｅ  ガイド
５  雄ねじ
６  軸受
７  回転軸
８  ベルト
９  ベルト挿通部
１０  先端
１１  フック部材
１２  プレート体
１３  ベルト
【図１】
0005599698.tif 000002
【図２】
0005599698.tif 000003
【図３】
0005599698.tif 000004
【図４】
0005599698.tif 000005
【図５】
0005599698.tif 000006
【図６】
0005599698.tif 000007
【図７】
0005599698.tif 000008
【図８】
0005599698.tif 000009
【図９】
0005599698.tif 000010
【図１０】
0005599698.tif 000011